(57)【要約】【課題】  筐体や仕切り壁の構造に変更を加えることなく、温度上昇に伴う配線基板や発熱性部品の初期性能の低下を抑制する。【解決手段】  発熱性部品を配備した第１室Ｒ１とディスクを配備する第２室Ｒ２とを、不可避的隙間を有する仕切り壁３によって区画する。第２室Ｒ２を開閉するディスクカバー５に、ディスクＤの周囲を取り囲む円環状のリブでなる囲い壁５を設ける。ディスクＤの回転によって発生した気流がディスクＤの周囲に逸散することを囲い壁５が抑制するので、不可避的隙間を通過して第１室Ｒ１に送り込まれる気流の量が増大する。【選択図】        図１
2006066021.tif 000002
【特許請求の範囲】
【請求項１】
配線基板及び発熱性部品が配備されている第１室と、円板状のディスクが配備される第２室とが、第１室と第２室とを連通する不可避的隙間を有する仕切り壁によって区画されていると共に、上記第２室を開閉可能で、閉時に第２室に収容されているディスクの上側を覆うディスクカバーを備えているディスク装置において、
上記仕切り壁に横軸回りに開閉揺動可能に取り付けられた上記ディスクカバーに、閉時にディスクの周囲を取り囲み、ディスクの回転によってそのディスクを挟む両側の空間で発生した気流がディスクの周囲に逸散することを抑制してその気流を上記不可避的隙間に押し込むための円環状のリブでなる囲い壁が備わっていると共に、その囲い壁の周方向複数箇所に外気がその囲い壁で囲まれた空間に流入することを許容する凹入状に形成された通気口が備わり、
上記不可避的隙間が、ディスクを搭載して回転させるターンテーブルの配備スペースと、回転中のディスクの半径方向に走行してそのディスクの記録面を走査する光ピックアップの走行スペースとを含んでいると共に、それらの不可避的隙間とは別に上記囲い壁と上記仕切り壁とによって取り囲まれた空間内の外周部に開口が備わり、その開口が、上記仕切り壁に形成されて上記ターンテーブルに対して着脱されるディスクを掴んだ手の指が挿入される指逃がし凹所の周壁部に形成されていて、その指逃がし凹所の底壁面がその開口に近付く方向の下がり勾配を有していることを特徴とするディスク装置。
【請求項２】
配線基板及び発熱性部品が配備されている第１室と、円板状のディスクが配備される第２室とが、第１室と第２室とを連通する不可避的隙間を有する仕切り壁によって区画されていると共に、上記第２室を開閉可能で、閉時に第２室に収容されているディスクの上側を覆うディスクカバーを備えているディスク装置において、
上記ディスクカバーに、閉時にディスクの周囲を取り囲み、ディスクの回転によってそのディスクを挟む両側の空間で発生した気流がディスクの周囲に逸散することを抑制する円環状の囲い壁が備わっていることを特徴とするディスク装置。
【請求項３】
上記囲い壁に外気がその囲い壁で囲まれた空間に流入することを許容する通気口が形成されている請求項２に記載したディスク装置。
【請求項４】
上記不可避的隙間が、ディスクを搭載して回転させるターンテーブルの配備スペースと、回転中のディスクの半径方向に走行してそのディスクの記録面を走査する光ピックアップの走行スペースとを含んでいる請求項２又は請求項３に記載したディスク装置。
【発明の詳細な説明】
【技術分野】
【０００１】
本発明は、ディスク装置、詳しくは、ターンテーブルに搭載されたディスクを上側から覆うディスクカバーを備えているディスク装置に関する。
【背景技術】
【０００２】
従来のこの種のディスク装置を図６〜図８に示してあり、図６は概略平面図、図７は要部の構成を示した概略縦断正面図、図８は図７の一部を拡大した縦断正面図である。
【０００３】
図６のように、このディスク装置は、筐体１と、この筐体１のヒンジ取付部１２に起倒可能に取り付けられるディスプレイ（不図示）とを備えていると共に、筐体１に各種の設定ボタンや制御ボタンなどが配備された操作部１３が備わり、さらに、筐体１には、円板状のディスクＤを着脱するときに開閉され、常時は閉じられるディスクカバー５が備わっている。
【０００４】
筐体１の内部空間は、図７のように仕切り壁３によってその下側の第１室Ｒ１とその上側の第２室Ｒ２とに区画されている。第１室Ｒ１にはディスクドライブユニット２が配備されている。ディスクドライブユニット２はターンテーブル２１やそのターンテーブル２１を回転駆動するモータ（不図示）、光ピックアップ２２などを有していて、そのディスクドライブユニット２に備わっている板状体２３が仕切り壁３に形成された開口３１に遊嵌状に嵌め込まれて仕切り壁３の一部を形成していると共に、ターンテーブル２１は板状体２３の上側に突出して第２室Ｒ２に配備され、また、光ピックアップ２２は板状体２３に開設された走行スペース２４を走行するようになっている。さらに、第１室Ｒ１には配線基板４が配備されていて、この配線基板４に必要な電気電子部品が搭載されている。
【０００５】
ディスクカバー５は樹脂成形体でなり、その一端部が仕切り壁３に横軸５１回りに開閉揺動可能に取り付けられていて、ターンテーブル２１に搭載されたディスクＤが回転して記録又は再生が行われているときには閉じられてそのディスクＤの上側を覆うことによりそのディスクＤを保護する。このディスクカバー５には、その外縁に沿って一体成形された補強用のリブ５２が備わっている。このリブ５２はディスクカバー５の反り変形や割れなどの発生を抑えるために設けられていて、その高さは比較的低く定められている。そのために、ディスクカバー５を閉じた状態では、図７又は図８のように、リブ５２と仕切り壁３との間には比較的広い隙間空間Ｓ１が形成される。また、ディスクカバー５の外縁と仕切り壁３に備わっている立上り状の外枠部３２との間には、外枠部３２との干渉を回避してディスクカバー５の開閉動作を円滑に行わせるための隙間空間Ｓ２が確保されている。
【０００６】
この構成のディスク装置では、ディスクカバー５が閉じ、ディスクＤがターンテーブル２１に搭載されて回転しているときに、光ピックアップ２２が走行スペース２４でディスクＤの半径方向に走行しつつ、光ピックアップ２２の光源としてのレーザダイオードから出た光が対物レンズ２２ａを通過してディスクＤの記録面を走査する。
【０００７】
このようなディスク装置において、その動作中に、配線基板４に搭載されている電気電子部品の中のある種の部品や、ターンテーブル２１の駆動源であるモータ、光ピックアップ２２の光源であるレーザダイオードなどを含む所謂発熱性部品が発熱し、その発熱によって、発熱性部品そのものの温度だけでなく、第１室Ｒ１の温度や配線基板４の温度が上昇するので、それらの温度上昇をできるだけ抑えてそれぞれの電気電子部品や配線基板４、レーザダイオードなどの初期性能が損なわれないようにしておくことが要求される。
【０００８】
この点に関する対策が従来より種々提案されている（特許文献１〜５）。このうち、特許文献１〜３に記載されているものは、電気部品や配線基板などを収容している筐体側に通気口を具備させ、ディスクが高速回転するのに伴って発生する気流をその通気口を通して流通させるというものである。また、特許文献４に記載されているものは、ディスクの回転による空気流動がすべての電気部品の冷却に効率よく使われるようにするために、電気部品や配線基板のレイアウトないし構造に工夫を講じたものである。さらに、特許文献５に記載されているものは、ターンテーブルの回転駆動源であるスピンドルモータの駆動軸に送風ユニットを取り付け、駆動軸の回転によって送風ユニットの羽根を回転させて気流を発生させ、その気流をピックアップユニット（光ピックアップに相当）に向けて吹き出させるようにしている。
【特許文献１】特開平８−３３９６７８号公報
【特許文献２】特開２００１−１５５４７９号公報
【特許文献３】特開２００４−１２７４６７号公報
【特許文献４】実開平５−６７９９９号公報
【特許文献５】特開２００４−１６４７３３号公報
【発明の開示】
【発明が解決しようとする課題】
【０００９】
ところで、ディスク装置に用いられている発熱性部品を冷却してその発熱を抑える手段として、ディスクの回転によって発生する気流を利用することは、気流を発生させるための特別な機構を必要としないので、装置構成を簡単にしてコストを抑える上で好ましいことである。
【００１０】
この点に関し、図６又は図７を参照して説明した従来のディスク装置では、仕切り壁３に不可避的隙間、すなわちターンテーブル２１（図６参照）の配備スペースや光ピックアップ２２の走行スペースなどが必然的に存在しているので、ディスクの回転によって第２室Ｒ２で発生した気流がそれらの不可避的隙間を通過して矢印ｂのように第１室Ｒ１に送り込まれ、配線基板４や発熱部品を冷却してその温度上昇を抑制することに使われることにはなる。
【００１１】
しかしながら、図８に矢印ａで示したように、ディスクの回転によって第２室Ｒ２で発生した気流のほとんどが、同図に示した隙間空間Ｓ１，Ｓ２を通過して容易に外部に逸散してしまい、配線基板４やレーザダイオードなどの発熱性部品が配備されている第１室Ｒ１に送り込まれる気流の量が著しく少なくなる。そのため、ディスクの回転によって発生した気流による冷却作用をそれほど期待することはできない。
【００１２】
一方、特許文献１〜３に記載されているもののように、ディスクの回転によって発生する気流を利用して発熱性部品を冷却するものではあっても、筐体側に通気口を具備させるという対策を講じると、通気口を開設することによる筐体の強度低下を、その筐体に補強のための構造部分を付加することによって補うことが必要になる場合が少なくなく、その場合には、筐体の構造が複雑になってそれだけコスト高になりやすいという問題かある。また、通気口を形成する箇所によっては、ディスクの回転によって発生する気流が所謂風きり音を発生し、その風きり音が異音になるというおそれもある。また、特許文献４に記載されているもののように、一様な冷却効果を期待するために電気部品や配線基板のレイアウトないし構造に工夫を講じるものは、そのようなレイアウトを採用することのできない場合も多々あると考えられるという難点がある。さらに、特許文献５に記載されているもののように、スピンドルモータの駆動軸に送風ユニットを取り付けるものでは、スピンドルモータに負荷が余分に加わるという難点がある。
【００１３】
本発明は以上の問題や状況に鑑みてなされたものであり、ディスクの回転によって発生する気流を利用して発熱性部品を冷却することを基本とし、原則的には筐体や筐体の内部空間を第１室と第２室とに区画する仕切り壁に通気口を新たに追加することなく、上記気流を発熱性部品の冷却に効率よく利用することのできるディスク装置を提供することを目的とする。
【００１４】
また、本発明は、ターンテーブルに搭載されたディスクを上側から覆うディスクカバーの構造に工夫を講じるだけで、ディスクの回転によって発生した気流が配線基板や発熱性部品などが配備されている第１室に送り込まれる量を増大させることができるようにし、併せて、ディスクカバーを補強することのできるディスク装置を提供することを目的とする。
【００１５】
さらに、本発明は、仕切り壁に具備されているところの、ディスクを掴んだ手の指が挿入される指逃がし凹所を利用することによって、第２室に気流を送り込むことができるようにしたディスク装置を提供することを目的とする。
【課題を解決するための手段】
【００１６】
本発明に係るディスク装置は、配線基板及び発熱性部品が配備されている第１室と、円板状のディスクが配備される第２室とが、第１室と第２室とを連通する不可避的隙間を有する仕切り壁によって区画されていると共に、上記第２室を開閉可能で、閉時に第２室に収容されているディスクの上側を覆うディスクカバーを備えているディスク装置において、上記ディスクカバーに、閉時にディスクの周囲を取り囲み、ディスクの回転によってそのディスクを挟む両側の空間で発生した気流がディスクの周囲に逸散することを抑制する円環状の囲い壁が備わっている、というものである。
【００１７】
この構成であれば、ディスクの回転によって発生した気流が円環状の囲い壁に当たり、その気流のディスク周囲への逸散が抑制される。そのため、囲い壁によって囲まれた空間内でディスクの回転によって気流が発生した場合に、ディスクカバーと仕切り壁との間の隙間を通過して外部に逸散する気流の量が減少する反面で、仕切り壁の不可避的隙間を通過して第１室に送り込まれる気流の量が図８などで説明した従来の場合よりも増大し、その結果、配線基板や発熱性部品の冷却が促進される。また、囲い壁はディスクカバーを補強することにも役立つので、囲い壁によってディスクカバーが補強されるという作用も併せて奏される。
【００１８】
本発明では、上記囲い壁に外気がその囲い壁で囲まれた空間に流入することを許容する通気口を形成しておいてもよい。これによれば、囲い壁によってディスクカバーと仕切り壁との間の隙間が狭少化されてその隙間を通過する空気の流通量が抑制されている状況下で、囲い壁の上記通気口によって囲い壁で囲まれた空間に外気が引き込まれる流路が確保されるので、囲い壁で囲まれた空間に負圧が生じて回転中のディスクに振れが生じやすくなるといった不都合を生じるおそれがなくなる。
【００１９】
本発明では、上記不可避的隙間が、ディスクを搭載して回転させるターンテーブルの配備スペースと、回転中のディスクの半径方向に走行してそのディスクの記録面を走査する光ピックアップの走行スペースとを含んでいる。不可避的隙間とは、当該ディスク装置を構成する上で回避することのできない隙間のことであり、上記したターンテーブルの配備スペースは、ターンテーブルが円滑に回転することを保証する上で必要であり、光ピックアップの走行スペースは、光ピックアップをディスクの半径方向に走行させる上で必要である。不可避的スペースには、上記２者のほかにも、図６に示したディスクドライブユニット２の板状体２３と仕切り壁３の開口３１の口縁とに形成される隙間などが含まれる。
【００２０】
本発明に係るディスク装置は、配線基板及び発熱性部品が配備されている第１室と、円板状のディスクが配備される第２室とが、第１室と第２室とを連通する不可避的隙間を有する仕切り壁によって区画されていると共に、上記第２室を開閉可能で、閉時に第２室に収容されているディスクの上側を覆うディスクカバーを備えているディスク装置において、上記仕切り壁に横軸回りに開閉揺動可能に取り付けられた上記ディスクカバーに、閉時にディスクの周囲を取り囲み、ディスクの回転によってそのディスクを挟む両側の空間で発生した気流がディスクの周囲に逸散することを抑制してその気流を上記不可避的隙間に押し込むための円環状のリブでなる囲い壁が備わっていると共に、その囲い壁の周方向複数箇所に外気がその囲い壁で囲まれた空間に流入することを許容する凹入状に形成された通気口が備わり、上記不可避的隙間が、ディスクを搭載して回転させるターンテーブルの配備スペースと、回転中のディスクの半径方向に走行してそのディスクの記録面を走査する光ピックアップの走行スペースとを含んでいると共に、それらの不可避的隙間とは別に上記囲い壁と上記仕切り壁とによって取り囲まれた空間内の外周部に開口が備わり、その開口が、上記仕切り壁に形成されて上記ターンテーブルに対して着脱されるディスクを掴んだ手の指が挿入される指逃がし凹所の周壁部に形成されていて、その指逃がし凹所の底壁面がその開口に近付く方向の下がり勾配を有している、という構成を採用することによっていっそう具体化される。この発明のディスク装置についての作用は、後述する実施形態を参照して詳細に説明する。
【発明の効果】
【００２１】
以上のように、本発明に係るディスク装置によれば、ディスクカバーに囲い壁を具備させるだけで、ディスクの回転によって第２室で発生した気流が配線基板や発熱性部品の配備されている第１室に送り込まれる量を従来よりも増大させてそれらの冷却効率を高めることができるので、温度上昇に伴う配線基板や発熱性部品の初期性能の低下を、筐体や仕切り壁の構造に変更を加えることなく抑制することが原則的に可能になる。
【００２２】
また、本発明では、仕切り壁に具備されているところの、ディスクを掴んだ手の指が挿入される指逃がし凹所を利用することによって、第２室から第１室に気流を送り込むことができるようにすることも可能であり、そうすることによって、第１室に送り込まれる気流の量をさらに増大させて冷却作用をいっそう高めることが可能になる。
【発明を実施するための最良の形態】
【００２３】
図１は本発明の実施形態によるディスク装置の概略平面図、図２は要部の構成を示した概略縦断正面図、図３は図２の一部を拡大した縦断正面図である。
【００２４】
図１に示したディスク装置において、図６を参照して説明した従来例と異なる点は、ディスクカバー５に、閉時にディスクＤの周囲を取り囲み、ディスクＤの回転によってそのディスクＤを挟む両側の空間で発生した気流がディスクＤの周囲に逸散することを抑制してその気流を仕切り壁３に備わっている不可避的隙間に押し込むための円環状のリブでなる囲い壁６が備わっていると共に、その囲い壁６の周方向複数箇所に外気がその囲い壁６で囲まれた空間（囲繞空間）６１に流入することを許容する凹入状に形成された通気口６２が備わっている点だけであり、その他の構成は、図６を参照して説明した従来例と同様である。したがって、説明を簡略にするため、図１に示された要素には、図６と同一又は相応する部分に同一符号を付すことによってその詳細な説明を省略する。
【００２５】
この構成であると、ディスクＤの回転によって発生した気流が図３に矢印ｃで示したように円環状の囲い壁６に当たり、その気流のディスク周囲への逸散が抑制される。このような囲い壁６による気流の逸散抑制作用を効率よく発揮させるためには、ディスクカバー５を閉じたときに、囲い壁６の下端６２が仕切り壁３の上面３３にできるだけ近付くようにしておくか、あるいは、仕切り壁３の上面３３に接触するようにしておくことが有益である。
【００２６】
上記のようにディスクＤの回転によって発生した気流の外部への逸散が囲い壁６によって抑制されるようになっていると、囲い壁によって囲まれた空間６１内でディスクＤの回転によって気流が発生した場合に、ディスクカバー５と仕切り壁３との間の隙間Ｓを通過して外部に逸散する気流の量が減少する反面で、仕切り壁３に存在している不可避的隙間を通過して矢印ｂのように第１室Ｒ１に送り込まれる気流の量が図８などで説明した従来の場合よりも著しく増大する。そのため、第１室Ｒ１に配備されている配線基板４や発熱性部品、たとえばターンテーブル２１の駆動源であるモータや光ピックアップの光源であるレーザダイオードその他の発熱性部品が十分な量の気流に接触してのそれら冷却が効率よく促進されるようになる。そして、それらの発熱性部品の冷却が促進されることによって、それらが熱破壊を起こしたり熱による悪影響を受けて初期性能が損なわれるいう事態が発生しなくなる。
【００２７】
この実施形態では、囲い壁６に通気口６２を形成し、その通気口６２によって囲い壁５で囲まれた空間６１に外気が流入する流路を確保してあるので、囲い壁６で囲まれた空間６１に負圧が生じた場合には、その通気口６２を経て外気が空間６１に流入して負圧状態が解消される。そのため、空間６１から第１室Ｒ１に流入する気流の量を十分に確保することができることと併せて、負圧によって起こり得る回転中のディスクの振れを防止することができる。実施形態では、通気口６２を囲い壁６の等角度おきの４箇所に具備させてあるけれども、通気口６２の形成箇所は３箇所であっても３箇所よりも少ない箇所であってもよい。また、通気口６２の開口面積は、囲い壁６による上記気流の逸散抑制作用を損なわない程度の広さに定める必要がある。さらに、通気口６２を孔によって形成してもよい。
【００２８】
なお、図２には、開いた状態のディスクカバー５を仮想線で示してあり、このようにディスクカバー５を開くのは、ディスクＤをターンテーブル２１に着脱するときなどである。
【００２９】
特に、この実施形態では、仕切り壁３に存在している不可避的隙間を利用して、気流が、囲い壁６で囲まれた空間６１から図３の矢印ｂのように第１室Ｒ１に送り込まれるようにしてあるので、仕切り壁３に特別に流路となる開口を開設したりする必要がない。不可避的隙間としては、ディスクＤを搭載して回転させるターンテーブル２１の配備スペースや回転中のディスクＤの半径方向に走行してそのディスクの記録面を走査する光ピックアップの走行スペースのほか、仕切り壁３の開口３１の口縁とディスクドライブユニット２の板状体２３との間に必然的に形成される隙間などが含まれる。
【００３０】
図４は他の実施形態に係るディスク装置の概略平面図、図５は図４のＶ−Ｖ線に沿う部分の拡大断面図である。
【００３１】
このディスク装置では仕切り壁３に指逃がし凹所３５が備わっている。このように仕切り壁３に指逃がし凹所３５を具備させておくと、ディスクカバー５を開けてターンテーブル２１に対して手の指で掴んだディスクＤを着脱するという操作を行うときに、ディスクＤの外周部を掴んでいる指先をその指逃がし凹所３５に挿入して逃がすということを行うことができるので、ディスクＤの着脱操作を容易に行うことができるという利点がある。そこで、この実施形態では、この指逃がし凹所３５を活用することによって、ディスクＤの回転によって発生した気流を、仮想線で示した上記囲い壁６で囲まれた空間６１から第１室Ｒ１に送り込むための対策を講じている。すなわち、図５に示したように、指逃がし凹所３５の周壁部に気流流路として役立つ開口３６が形成されていて、指逃がし凹所３５の底壁面３７には開口３６に近付く方向の下がり勾配が付与されている。なお、開口３６は、ディスクＤの回転方向Ｒに対向し、しかも、指逃がし凹所３５は、囲い壁６で囲まれた空間６１の外周部の１箇所に位置している。
【００３２】
この構成を、ディスクカバー５に囲い壁６を設けることと併せて採用しておくと、ディスクＤの回転によって発生した気流が、囲い壁６の逸散抑制作用によって外部に逃がされにくくなって第１室Ｒ１に送り込まれる気流の量が増大することと併せて、囲い壁６で囲まれた空間６１の外周部から気流が開口３６を通過して第１室Ｒ１に送り込まれ、しかもその気流はディスクＤの回転による遠心作用で流速が速められているので、第１室Ｒ１での流動が促されて配線基板や発熱性部品の冷却を顕著に促進することに役立つという利点がある。
【００３３】
なお、上記指逃がし凹所３５を仕切り壁５の奥側に形成しておくと、ディスクＤの回転方向Ｒに対向している開口３６が当該ディスク装置の正面からは見えなくなるので、その開口３６が目立ってディスク装置の外観が損なわれるという事態は起こり得ない。
【００３４】
図４に示したディスク装置では、指逃がし凹所３５を備えている点以外は、図１を参照して説明したディスク装置と同様であるので、説明を簡略にするため、図６に示された要素には、図１と同一又は相応する部分に同一符号を付すことによってその詳細な説明を省略した。なお、図４ではディスクカバーを図示省略し、その囲い壁６だけを仮想線で示してある。
【図面の簡単な説明】
【００３５】
【図１】本発明の実施形態によるディスク装置の概略平面図である。
【図２】要部の構成を示した概略縦断正面図である。
【図３】図２の一部を拡大した縦断正面図である。
【図４】他の実施形態に係るディスク装置の概略平面図である。
【図５】図４のＶ−Ｖ線に沿う部分の拡大断面図である。
【図６】従来例の概略平面図である。
【図７】従来例の要部の構成を示した概略縦断正面図である。
【図８】図７の一部を拡大した縦断正面図である。
【符号の説明】
【００３６】
Ｒ１  第１室
Ｒ２  第２室
Ｄ  ディスク
４  配線基板
５  ディスクカバー
６  囲い壁
３５  指逃がし凹所
３６  開口
３７  指逃がし凹所の底壁面
５１  横軸
６２  通気口
【図１】
2006066021.tif 000003
【図２】
2006066021.tif 000004
【図３】
2006066021.tif 000005
【図４】
2006066021.tif 000006
【図５】
2006066021.tif 000007
【図６】
2006066021.tif 000008
【図７】
2006066021.tif 000009
【図８】
2006066021.tif 000010